【事件の表示】
　特願２００９−２４５４５０「電子機器及びプログラム」拒絶査定不服審判事件〔平成２３年　５月　６日出願公開、特開２０１１−　９０６１７〕について、次のとおり審決する。
【結　論】
　本件審判の請求は、成り立たない。
【理　由】
第１　手続きの経緯
　本願は、平成２１年１０月２６日を出願日とする出願であり、平成２５年５月３１日付けで拒絶理由が通知され、同年８月１日付けで手続補正がなされたが平成２６年２月２８日付けで拒絶査定され、それに対して同年４月２３日付けで拒絶査定不服審判の請求がなされ、同時に手続補正されたものである。
　　　
第２　補正却下の決定
　平成２６年４月２３日付け手続補正についての補正却下の決定
　　
（１）［補正却下の決定の結論］
　平成２６年４月２３日付けの手続補正（以下、「本件補正」という。）を却下する。
　　
（２）［補正却下の決定の理由］
（ａ）補正の内容
　本件補正は、特許請求の範囲の請求項１について、補正前の
「【請求項１】
複数のキーを備えたキー入力部を有する電子機器であって、
　表示部のほかに入力操作検出部として機能する入力表示部が前記キー入力部に隣り合った関係となった状態で前記入力表示部を前記キー入力部と併用して入力操作を行わせることを指定する指定手段と、
　この指定手段によって入力表示部を前記キー入力部と併用して入力操作を行わせることが指定された場合に、所定のキー群が特定のキー配列となるように当該キー群を前記キー入力部及び前記入力表示部に跨って割り当て配置する際に、前記キー群のうちその一部が前記キー入力部に備えられている場合に、当該キー群の残りの各キーを前記入力表示部に割り当て配置するための入力制御を行う入力制御手段と、
　を具備したことを特徴とする電子機器。」を、
　
「【請求項１】
複数のキーを備えたキー入力部を有する電子機器であって、
　
前記キー入力部の複数のキーは、当該電子機器が取り得る姿勢に応じて正立するように印字された複数の機能名を有し、
　表示部のほかに入力操作検出部として機能する入力表示部が前記キー入力部に隣り合った関係となった状態で前記入力表示部を前記キー入力部と併用して入力操作を行わせることを指定する指定手段と、
　
当該電子機器の姿勢を検出する姿勢検出手段と、
　この指定手段によって入力表示部を前記キー入力部と併用して入力操作を行わせることが指定された場合に、所定のキー群が特定のキー配列となるように当該キー群を前記キー入力部及び前記入力表示部に跨って割り当て配置する際に、
前記姿勢検出手段によって検出された当該電子機器の姿勢において正立する機能名が印字された、前記キー入力部の複数のキーに対し、
　を具備したことを特徴とする電子機器。」（下線は補正箇所を示す。）とする補正、及び、請求項７を削除する補正にともない補正前の請求項１１を請求項１０とする補正を含むものである。
　
　補正後の請求項１０は、
「【請求項１０】
前記キー入力部は、表示部のほかに入力操作検出部として機能する入力表示部によって構成されている、
　ことを特徴とする請求項１記載の電子機器。」（補正前の【請求項１１】と同じ記載。）である。
　
（ｂ）補正の可否の検討
　上記補正後の請求項１０は、請求項１の従属項であるから、請求項１の補正にともなって補正後の請求項１０に係る発明の「前記キー入力部」は、「前記キー入力部の複数のキーは、当該電子機器が取り得る姿勢に応じて正立するように印字された複数の機能名を有し、」且つ、「前記キー入力部は、表示部のほかに入力操作検出部として機能する入力表示部によって構成されている」ものに、実質的に補正されている。
　ここで、上記補正後の請求項１０に係る発明における「キー入力部の複数のキーは、・・・印字された複数の機能名を有し、」は、キー入力部の複数のキーに複数の機能名が印刷されている意味に解するのが自然であり、また、「前記キー入力部は、表示部のほかに入力操作検出部として機能する入力表示部によって構成されている」は、キー入力部がタッチスクリーン（入力表示部）等によるソフトキーによって構成されている意味に解するのが自然であるが、そのような両方の構成を備えたキー入力部は、願書に最初に添付した明細書、特許請求の範囲又は図面のいずれにも記載されていない。
　本願の出願当初の明細書の段落【００２８】には、「キー入力部４は、例えば、高精細液晶や有機ＥＬ（Electro Luminescence）などを使用した表示画面（表示部）４ａの上にタッチパネル（操作検出部）４ｂを積層配設してなるタッチスクリーン（入力表示部）を構成することによって、表示部のほかに入力部として機能するようにしたもので、図示しないが、十字キー（決定キーやカーソルキー）や数値キー／文字キーなど、各種のタッチキーを備え、ダイヤル入力、テキスト入力、コマンド入力などを行う。中央制御部１は、このキー入力部４からのキー操作信号に応じた処理として、例えば、発信処理、文章データ作成処理などの各種の処理を行う。なお、キー入力部４は、タッチスクリーン（入力表示部）等によるソフトキーに限らず、押しボタン式のキー（ハードキー）によって構成するようにしてもよい。」と記載があり、段落【００６９】、【００７４】には、「なお、キー入力部４は、押しボタン式のキー（ハードキー）に限らず、タッチスクリーン（入力表示部）によるソフトキーによって構成するようにしてもよい。」と記載があり、すなわち、キー入力部は、ハードキーか、タッチスクリーン（入力表示部）によるソフトキーのどちらか一方によって構成することができることが記載され、段落【００７４】に「ここで、図８（１）に示すように操作部筐体１１に備えられているキー入力部４には、押しボタン式のキーが固定的に配置されている。すなわち、キー入力部４には、・・・キーを有し、これらの各キーには、更に、アルファベットキー群の一部がＱＷＥＲＴＹキー配列で割り当て配置されている。なお、これらのキートップには、各キーに対応して２種類の機能名が印刷されていて、そのアルファベット文字は、操作部筐体１１が縦長のときに横向きとなるが、図８（１）に示すように横向きに変えたときには正立（縦向き）となるように印刷されている。」と記載され、段落【００７６】に「また、図８（２）に示すように、横開きオープン状態の携帯電話機を縦向きの状態で使用する場合、キー入力部４に備えられているペアキー・・・、＃キーには、更に、アルファベットキー群の一部がＱＷＥＲＴＹキー配列で割り当て配置されている。なお、これらのキートップには、各キーに対応して２種類の機能名がそれぞれ縦向きに印刷されている。」と記載されており、「前記キー入力部の複数のキーは、当該電子機器が取り得る姿勢に応じて正立するように印字された複数の機能名を有」していることは記載されていると認められるが、その構成に加えて、「前記キー入力部は、表示部のほかに入力操作検出部として機能する入力表示部によって構成されている」ことは記載されておらず、当初明細書のその他の記載及び各図をみても、「前記キー入力部の複数のキーは、当該電子機器が取り得る姿勢に応じて正立するように印字された複数の機能名を有し、」且つ、「前記キー入力部は、表示部のほかに入力操作検出部として機能する入力表示部によって構成されている」ものは記載されていない。
　また、「前記キー入力部の複数のキーは、当該電子機器が取り得る姿勢に応じて正立するように印字された複数の機能名を有し、」且つ、「前記キー入力部は、表示部のほかに入力操作検出部として機能する入力表示部によって構成されている」ことは、当業者にとって自明なものとも認められない。
　
　したがって、上記補正は当初明細書等のすべての記載を総合することにより導かれる技術的事項との関係において新たな技術的事項を導入するものであり、願書に最初に添付した明細書、特許請求の範囲又は図面に記載した事項の範囲内においてしたものとはいえない。よって、本件補正は、特許法第１７条の２第３項の規定に違反するので、同法第１５９条第１項において読み替えて準用する特許法第５３条第１項の規定により却下されるべきものである。
　
第３　本願発明
　上記のとおり、本件補正は却下された。
　したがって、本願請求項１に係る発明（以下、「本願発明」という。）は、平成２５年８月１日付け手続補正により補正された特許請求の範囲の請求項１に記載された事項により特定される、以下のとおりのものである。
「【請求項１】
複数のキーを備えたキー入力部を有する電子機器であって、
　表示部のほかに入力操作検出部として機能する入力表示部が前記キー入力部に隣り合った関係となった状態で前記入力表示部を前記キー入力部と併用して入力操作を行わせることを指定する指定手段と、
　この指定手段によって入力表示部を前記キー入力部と併用して入力操作を行わせることが指定された場合に、所定のキー群が特定のキー配列となるように当該キー群を前記キー入力部及び前記入力表示部に跨って割り当て配置する際に、前記キー群のうちその一部が前記キー入力部に備えられている場合に、当該キー群の残りの各キーを前記入力表示部に割り当て配置するための入力制御を行う入力制御手段と、
　を具備したことを特徴とする電子機器。」
　　　
第４　引用文献
　原査定の拒絶の理由に引用された特開２００６−３１１２２４号公報（以下、「引用文献」という。）には、図とともに次の記載がある。
（ア）「【請求項３】
　一対の筐体がヒンジ機構により開閉可能に接続され、前記一対の筐体の各々に、表示手段と、前記表示手段の前面に配置された透明なスイッチ手段とを備える折り畳み型携帯電話機であって、
　機能に応じた複数の表示レイアウトを記憶する記憶手段と、
　前記表示手段の表示形態及び前記スイッチ手段の有効／無効を制御する制御手段と、を備え、
　前記制御手段では、文字入力機能が選択された場合に、該文字入力機能に対応する前記表示レイアウトに基づいて、双方の前記表示手段に、所定の配列の一群のキーをその配列を維持した状態で分割して表示し、かつ、双方の前記スイッチ手段を有効にする制御を行うことを特徴とする折り畳み型携帯電話機。
　
【請求項４】
　前記所定の配列はキーボードの配列であることを特徴とする請求項３記載の折り畳み型携帯電話機。」（【特許請求の範囲】、【請求項３】、【請求項４】）
　　
（イ）「【実施例１】
【００２４】
　上記した本発明の実施の形態についてさらに詳細に説明すべく、本発明の第１の実施例に係る携帯電話機について、図１乃至図４を参照して説明する。図１は、本実施例に係る携帯電話機を実現するための手段を示すブロック図であり、図２は本実施例の折り畳み型携帯電話機の外観構成を示す斜視図である。また、図３は、本実施例の携帯電話機における表示レイアウトを示す図であり、図４は、本実施例の携帯電話機を用いた操作の手順を示すフローチャート図である。
【００２５】
　本実施例の折り畳み型携帯電話機は、ヒンジ構造を介して開閉可能に接続される一対の筐体（ここでは筐体Ａと筐体Ｂ）からなり、各々の筐体に、各種情報の表示を行うＬＣＤ（Liquid Crystal Display）などの表示手段と、ＬＣＤの前面に配置され、接触や押圧によりＯＮ／ＯＦＦ制御を行う素子がマトリクス状に配列されたタッチパネルなどの透明なスイッチ手段とが実装されていることを特徴としている。」（段落【００２４】、【００２５】）
　
（ウ）「【００２８】
　開閉検出部１３は携帯電話機の開閉状態を監視しており、開閉状態の変化に応じてＣＰＵ１に信号を送信することで、ＣＰＵ１は開閉状態に応じた各種制御を行うことができる。ＣＰＵ１は開閉検出部１３からの信号により携帯電話機が開状態になったことを認識すると、メモリ３から所定の表示レイアウト（ここでは通常時の表示レイアウト）を読み出し、その表示レイアウトに基づいて、図３（ａ）に示すように、筐体Ｂ側の第２のＬＣＤ６にキーを表示するとともに第２のタッチパネル７を有効にする。そして、使用者により第２のＬＣＤ６に表示されている所定のキーが押されると、第２のタッチパネル７は押された箇所の座標を読み取り、その結果からどのキーが押されたのかを検出してＣＰＵ１に報告し、ＣＰＵ１はそれに対応した制御を行うことで所望のキー操作を実現する。一方、筐体Ａ側の第１のＬＣＤ４には待受画面などの通常画面を表示する。なお、筐体Ａ側の第１のタッチパネル５の有効／無効は使用シーンに合わせて任意に設定することができるが、誤操作を防止するために、キーが表示されないＬＣＤの前面に配置されるタッチパネルは無効にすることが好ましい。」（段落【００２８】）
　　
（エ）「【実施例２】
【００３７】
　次に、本発明の第２の実施例に係る携帯電話機について、図５乃至図７を参照して説明する。図５は、本実施例の携帯電話機を用いてカメラ撮影を行う場合の表示レイアウトを示す図であり、図６は、本実施例の携帯電話機を用いて長い文章などを入力する場合の表示レイアウトを示す図である。また、図７は、本実施例の携帯電話機を用いて対戦型ゲームを行う場合の表示レイアウトを示す図である。なお、本実施例の携帯電話機の構成は第１の実施例と基本的に同じであるため、特に詳細な説明は行わない。
【００３８】
　前記した第１の実施例では、ＴＶ電話機能を用いる場合の表示レイアウトについて記載したが、近年の携帯電話機は様々な機能を備えており、各々の機能に適した表示レイアウトで表示することにより視認性や操作性を向上させることができる。そこで本実施例では、本発明の表示レイアウトを様々な機能に適用する場合について述べる。
【００３９】
　例えば、従来の携帯電話機のキー操作部は数字や文字を入力することを前提にしてキーが配列されているが、携帯電話機をデジタルカメラとして利用する場合、カメラ撮影時にはシャッターやズーム、ホワイトバランスの調整、露光の調整などができれば十分であり、これらの操作を行うためのキーのみを配列した方が操作性が良くなる。そこで、本実施例では、図５に示すように、カメラモードを起動すると、予め記憶された表示レイアウトに基づいて、一方のＬＣＤ（ここでは第１のＬＣＤ４）にはカメラで撮影している画像を表示し、他方のＬＣＤ（ここでは第２のＬＣＤ６）にはメモリ３にカメラ撮影に必要な処理を実行するためのキーを大きく表示すると共にその前面のタッチパネル（ここでは第２のタッチパネル７）を有効にする。これにより、カメラ機能のキー操作に関して使い勝手を向上させることができると共に誤操作を防止することができる。なお、この表示レイアウトはカメラ撮影時に限らず、ゲーム時やＴＶリモコン操作時などにも適用可能である。
【００４０】
　また、従来の携帯電話機では、キー操作部は一方の筐体に設けられていたため、キー操作部の面積を大きくすることができず、そのため、文字入力の際には各々のキーを押す回数によって異なる文字が選択されるようにしていたが、このような操作は煩雑であり、操作性が悪いという問題があった。そこで本実施例では、図６に示すように、第１のＬＣＤ４と第２のＬＣＤ６とを関連付け、メモリ３に予め記憶された表示レイアウトに基づいて、パーソナルコンピュータのキーボードのような配列の複数のキーを、その配列を維持した状態で第１のＬＣＤ４と第２のＬＣＤ６とに分割して表示する。これにより、各々のキーを何度も押す操作をする必要がなくなり、パーソナルコンピュータのように格段に早い文字入力が可能となり、操作性を格段に向上させることができる。また、その入力結果を第１のＬＣＤ４と第２のＬＣＤ６に連続して表示することにより多くの情報を一度に表示することができ、視認性や操作性を格段に向上させることができる」（段落【００３７】〜【００４０】）
　
（オ）図６には、筐体Ａと筐体Ｂを開き、横向きにされた折り畳み型携帯電話機において、パーソナルコンピュータのキーボードのような配列の一群のキーが、その配列を維持した状態で、横向きオープン状態の第１のＬＣＤ４と第２のＬＣＤ６とに分割して表示されることが示されている。　
　
　上記記載と技術常識に照らせば、引用文献の第２の実施例に係る携帯電話機について次のことがいえる。
（１）折り畳み型携帯電話機であって、開閉可能に接続される一対の筐体Ａと筐体Ｂからなり、筐体Ａには第１のＬＣＤ４とその前面に配置された第１のタッチパネル５が実装され、筐体Ｂには第２のＬＣＤ６とその前面に配置された第２のタッチパネル７が実装され、複数の表示レイアウトを記憶するメモリ３、携帯電話機の開閉状態を検出する開閉検出部１３、文字入力機能選択手段、携帯電話機の動作及び第１のＬＣＤ４と第２のＬＣＤ６の表示レイアウトを制御するＣＰＵ１を具備している。
（２）ＣＰＵ１は、開閉検出部１３からの信号により携帯電話機が開状態になったことを認識すると、メモリ３から通常時の表示レイアウトを読み出し、その表示レイアウトに基づいて、筐体Ｂ側の第２のＬＣＤ６に複数のキーからなるキー操作部を表示するとともに第２のタッチパネル７を有効にし、第２のＬＣＤ６に表示されている所定のキーが押されると、第２のタッチパネル７は押された箇所の座標を読み取り、ＣＰＵ１は、その結果からどのキーが押されたのかを検出し、それに対応した制御を行うことで所望のキー操作を実現し、筐体Ａ側の第１のＬＣＤ４には待受画面などの通常画面を表示する。
（３）折り畳み型携帯電話機は、文字入力機能選択手段を備え、ＣＰＵ１は、文字入力機能選択手段によって文字入力機能が選択された場合に、該文字入力機能に対応するメモリ３に記憶された表示レイアウトに基づいて、第１のＬＣＤ４と第２のＬＣＤ６とを関連付け、パーソナルコンピュータのキーボードのような所定の配列の一群のキーを、その配列を維持した状態で、横向きオープン状態の第１のＬＣＤ４と第２のＬＣＤ６とに分割して表示し、各々のキーを何度も押す操作をする必要がなくなり、パーソナルコンピュータのように格段に早い文字入力が可能となり、操作性を格段に向上させることができる。
　
　したがって、引用文献には、以下のような発明（以下、「引用発明」という。）が開示されていると認められる。
「開閉可能に接続される一対の筐体Ａと筐体Ｂからなり、筐体Ａには第１のＬＣＤ４とその前面に配置された第１のタッチパネル５が実装され、筐体Ｂには第２のＬＣＤ６とその前面に配置された第２のタッチパネル７が実装され、複数の表示レイアウトを記憶するメモリ３、携帯電話機の開閉状態を検出する開閉検出部１３、文字入力機能選択手段、携帯電話機の動作及び第１のＬＣＤ４と第２のＬＣＤ６の表示レイアウトを制御するＣＰＵ１を具備し、
　ＣＰＵ１は、開閉検出部１３からの信号により携帯電話機が開状態になったことを認識すると、メモリ３から通常時の表示レイアウトを読み出し、その表示レイアウトに基づいて、筐体Ｂ側の第２のＬＣＤ６に複数のキーからなるキー操作部を表示するとともに第２のタッチパネル７を有効にし、第２のＬＣＤ６に表示されている所定のキーが押されると、第２のタッチパネル７は押された箇所の座標を読み取り、その結果からどのキーが押されたのかを検出してＣＰＵ１に報告し、ＣＰＵ１はそれに対応した制御を行うことで所望のキー操作を実現し、筐体Ａ側の第１のＬＣＤ４には待受画面などの通常画面を表示し、
　ＣＰＵ１は、文字入力機能選択手段によって文字入力機能が選択された場合に、該文字入力機能に対応するメモリ３に記憶された表示レイアウトに基づいて、第１のＬＣＤ４と第２のＬＣＤ６とを関連付け、パーソナルコンピュータのキーボードのような所定の配列の一群のキーを、その配列を維持した状態で、横向きオープン状態の第１のＬＣＤ４と第２のＬＣＤ６とに分割して表示することを特徴とする折り畳み型携帯電話機。」
　　
第５　対比
　本願発明と引用発明とを対比する。
（ア）本願発明の「複数のキーを備えたキー入力部を有する電子機器」について
　本願請求項１１に「前記キー入力部は、表示部のほかに入力検出部として機能する入力表示部によって構成されている、ことを特徴とする請求項１記載の電子機器。」と記載されているように、本願発明の「複数のキーを備えたキー入力部」は、タッチスクリーンによるソフトキーによって構成されるキー入力部を含むものである。
　引用発明の筐体Ｂ側の「第２のＬＣＤ６とその前面に配置された第２のタッチパネル７」は、通常時の表示レイアウトに基づいて、複数のキーからなるキー操作部を表示し、表示されている所定のキーが押されると、第２のタッチパネル７は押された箇所の座標を読み取り、その結果からどのキーが押されたのかを検出し、所望のキー操作を実現しているから、本願発明の「複数のキーを備えたキー入力部」に相当する。
　したがって、引用発明の筐体Ｂに「第２のＬＣＤ６とその前面に配置された第２のタッチパネル７が実装」された「折り畳み型携帯電話機」は、本願発明の「複数のキーを備えたキー入力部を有する電子機器」に相当する。
　
（イ）本願発明の「表示部のほかに入力操作検出部として機能する入力表示部が前記キー入力部に隣り合った関係となった状態で前記入力表示部を前記キー入力部と併用して入力操作を行わせることを指定する指定手段」について
　引用発明の筐体Ａ側の「第１のＬＣＤ４とその前面に配置された第１のタッチパネル５」は、本願発明の「表示部のほかに入力操作検出部として機能する入力表示部」に相当する。
　引用発明の「横向きオープン状態の第１のＬＣＤ４と第２のＬＣＤ６」は、本願発明の「表示部のほかに入力操作検出部として機能する入力表示部が前記キー入力部に隣り合った関係となった状態」に相当する。
　そして、引用発明は、「文字入力機能選択手段によって文字入力機能が選択された場合に、該文字入力機能に対応するメモリ３に記憶された表示レイアウトに基づいて、第１のＬＣＤ４と第２のＬＣＤ６とを関連付け、パーソナルコンピュータのキーボードのような所定の配列の一群のキーを、その配列を維持した状態で、横向きオープン状態の第１のＬＣＤ４と第２のＬＣＤ６とに分割して表示」しているから、引用発明の「文字入力機能選択手段」は、本願発明の「表示部のほかに入力操作検出部として機能する入力表示部が前記キー入力部に隣り合った関係となった状態で前記入力表示部を前記キー入力部と併用して入力操作を行わせることを指定する指定手段」に相当するといえる。
　
（ウ）本願発明の「指定手段によって入力表示部を前記キー入力部と併用して入力操作を行わせることが指定された場合に、所定のキー群が特定のキー配列となるように当該キー群を前記キー入力部及び前記入力表示部に跨って割り当て配置する際に、前記キー群のうちその一部が前記キー入力部に備えられている場合に、当該キー群の残りの各キーを前記入力表示部に割り当て配置するための入力制御を行う入力制御手段」について
　引用発明の「パーソナルコンピュータのキーボードのような所定の配列」は、本願発明の「特定のキー配列」に相当する。
　引用発明の「第１のＬＣＤ４と第２のＬＣＤ６とに分割して表示」される「一群のキー」は、本願発明の「所定のキー群」に相当し、引用発明の「第２のＬＣＤ６」側に「分割して表示」されるキー群は、本願発明の「前記キー入力部に備えられている」「前記キー群のうちその一部」に相当し、引用発明の「第１のＬＣＤ４」側に「分割して表示」されるキー群は、本願発明の「前記入力表示部に割り当て配置する」「当該キー群の残りの各キー」に相当する。
　そして、引用発明の「ＣＰＵ１」は、「文字入力機能選択手段によって文字入力機能が選択された場合に、該文字入力機能に対応するメモリ３に記憶された表示レイアウトに基づいて、第１のＬＣＤ４と第２のＬＣＤ６とを関連付け、パーソナルコンピュータのキーボードのような配列の一群のキーを、その配列を維持した状態で、横向きオープン状態の第１のＬＣＤ４と第２のＬＣＤ６とに分割して表示」しているから、本願発明の「指定手段によって入力表示部を前記キー入力部と併用して入力操作を行わせることが指定された場合に、所定のキー群が特定のキー配列となるように当該キー群を前記キー入力部及び前記入力表示部に跨って割り当て配置する際に、前記キー群のうちその一部が前記キー入力部に備えられている場合に、当該キー群の残りの各キーを前記入力表示部に割り当て配置するための入力制御を行う入力制御手段」に相当するといえる。
　
　したがって、本願発明の用語を用いて表現すると両者は、
「複数のキーを備えたキー入力部を有する電子機器であって、
　表示部のほかに入力操作検出部として機能する入力表示部が前記キー入力部に隣り合った関係となった状態で前記入力表示部を前記キー入力部と併用して入力操作を行わせることを指定する指定手段と、
　この指定手段によって入力表示部を前記キー入力部と併用して入力操作を行わせることが指定された場合に、所定のキー群が特定のキー配列となるように当該キー群を前記キー入力部及び前記入力表示部に跨って割り当て配置する際に、前記キー群のうちその一部が前記キー入力部に備えられている場合に、当該キー群の残りの各キーを前記入力表示部に割り当て配置するための入力制御を行う入力制御手段と、
　を具備したことを特徴とする電子機器。」
で一致するものであり、相違点は認められない。
　　　　
第６　判断
　本願発明は、引用文献に記載された発明に該当するから、特許法第２９条第１項第３号の規定により特許を受けることができない。
　
第７　むすび
　以上のとおり、本願発明は、引用文献に記載された発明に該当するから、特許法第２９条第１項３号の規定により、特許を受けることができない。
　したがって、本願は、その余の請求項について論及するまでもなく拒絶すべきものである。
　よって、結論のとおり審決する。